(57)【要約】【課題】例えばＣＶケーブル等のケーブル接続部におけるケーブル取付金具と絶縁体圧縮金具とを接続する場合などに用いる継手装置に係り、筒状体や棒状体を容易・迅速に接続することのできる継手装置を提供する。【解決手段】互いに接続すべき筒状体または棒状体の端部外周面に、それぞれ凹溝３１、９１を形成し、その各凹溝に係合する内向きの突部２１、２２を軸線方向両端部に有する一対の半円弧状の連結金具２０・２０を、上記の互いに接続すべき筒状体または棒状体の端部外周に配置し、その両連結金具を保持するバンド体２５を上記両連結金具の外周に設けたことを特徴とする。【選択図】        図２
2004312934.tif 000002
【特許請求の範囲】
【請求項１】
互いに接続すべき筒状体または棒状体の端部外周面に、それぞれ凹溝を形成し、その各凹溝に係合する内向きの突部を軸線方向両端部に有する一対の半円弧状の連結金具を、上記の互いに接続すべき筒状体または棒状体の端部外周に配置し、その両連結金具を保持するバンド体を上記両連結金具の外周に設けたことを特徴とする継手装置。
【請求項２】
上記連結金具の少なくとも一方の突条に上記筒状体または棒状体を挿入する際のガイド面となるテーパ状の面取り部を設けた請求項１記載の継手装置。
【発明の詳細な説明】
【０００１】
【発明の属する技術分野】
本発明は、例えばＣＶケーブル等のケーブル接続部におけるケーブル取付金具と絶縁体圧縮金具とを接続する場合などに用いる継手装置に関する。
【０００２】
【従来の技術】
従来、例えばＣＶケーブル等のケーブル接続部においては、ケーブル取付金具と絶縁体圧縮金具とを、リング状のナットを用いて接続するのが一般的である。図８は従来のケーブル接続部の一例を示す縦断面図、図９はその一部の拡大図であり、図において、１はエポキシ樹脂等よりなる絶縁体で、該絶縁体１の内方には中心導体２が埋設され、上記絶縁体１の端部には、略筒状のケーブル取付金具３が、その一部を上記絶縁体１内に埋設することによって該絶縁体１と一体的に設けられている。
【０００３】
一方、上記中心導体２に導電接続すべきＣＶケーブル４の端部は、いわゆる段剥ぎされ、その先端部に露出した導体４ａには、上記中心導体２に挿入嵌合される端子金具５がかしめ固着等によって取付けられている。またケーブル絶縁体４ｂの周囲には、絶縁ゴム６ａと半導電性ゴム６ｂとからなるプレモールド絶縁体６と、そのプレモールド絶縁体６を前記絶縁体１の凹部１ａのテーパ面１ｂおよびケーブル絶縁体４ｂの外周面に圧接させるための押圧金具７とが設けられている。
【０００４】
また上記ＣＶケーブル４の周囲には、略筒状の接続金具（圧縮金具）９と、その接続金具９を前記取付金具３に連結固定するためのリングナット１０とが設けられ、上記接続金具９とケーブル４との間には、両者間の隙間から雨水等が浸入するのを防ぐために防水テープ８等が巻回されている。上記リングナット１０は、上記接続金具９の突部９ｂに当接係合すると共に、該接続金具９の外周に回動可能に配置され、そのリングナット１０を上記取付金具３の外周面に設けた雄ねじ３ａに螺合することによって、上記接続金具９を取付金具３に連結接続する構成である。
【０００５】
さらに上記の略筒状の接続金具９と前記押圧金具７との間には、周方向に複数個の圧縮コイルばね１１が設けられ、その各コイルばね１１は、接続金具９の先端部９ａにねじ込み固着したガイドピン１２によって位置決め保持されている。図中、１３はＣＶケーブル４の遮蔽軟銅線４ｃと接続金具９とを導電接続する接地線である。
【０００６】
上記のように構成されたＣＶケーブル４を絶縁体１側の中心導体２に導電接続するに当たっては、図１０のようにケーブル４に上記各部材５〜１０を組み付けた状態で、それらを絶縁体１側に押し込む。すると、先ずケーブル４の先端部に設けた端子金具５が中心導体２に挿入嵌合されると共に、プレモールド絶縁体６および押圧金具７が絶縁体１の凹部１ａ内に進入する。
【０００７】
次いで、接続金具９の外周に設けたリングナット１０を、取付金具３の雄ねじ３ａに螺合するもので、それによって、上記接続金具９が取付金具３に連結接続されると共に、接続金具９と押圧金具７との間に介在させた圧縮コイルばね１１によって押圧金具７を介してプレモールド絶縁体６が絶縁体１のテーパ面１ｂおよびケーブル絶縁体４ｂに圧接され、そのプレモールド絶縁体６とテーパ面１ｂおよびケーブル絶縁体４ｂとが所定の圧力で密着する構成である。
【０００８】
【発明が解決しようとする課題】
ところが、上記のようにケーブル取付金具３と接続金具９とを、リングナット１０で接続する際には、該リングナット１０を工具等で回動しなければならないので狭い場所での作業が困難であり、また図示例のように筒状の接続金具９と前記押圧金具７との間に周方向に多数の圧縮コイルばね１１を介在させるものにあっては、それらのばね１１が周方向によじれないように圧縮しながら、ケーブル取付金具３と接続金具９とをリングナット１０で接続しなければならない。そのため接続作業に多大な労力と時間を要し、非能率的である等の問題があった。
【０００９】
本発明は上記の問題点に鑑みて提案されたもので、上記のような取付金具３や接続金具９等の筒状体もしくは棒状体を容易・迅速に接続することのできる継手装置を提供することを目的とする。
【００１０】
【課題を解決するための手段】
上記の目的を達成するために本発明による継手装置は、以下の構成としたものである。即ち、互いに接続すべき筒状体または棒状体の端部外周面に、それぞれ凹溝を形成し、その各凹溝に係合する内向きの突部を軸線方向両端部に有する一対の半円弧状の連結金具を、上記の互いに接続すべき筒状体または棒状体の端部外周に配置し、その両連結金具を保持するバンド体を上記両連結金具の外周に設けたことを特徴とする。
【００１１】
【発明の実施の形態】
以下、本発明をＣＶケーブルのケーブル接続部に適用した場合を例にして図に示す実施形態に基づいて具体的に説明する。
【００１２】
図１は本発明による継手装置を適用したケーブル接続部の縦断面図、図２はその一部の拡大図、図３（ａ）は内部機構等を省略した要部の拡大図、同図（ｂ）はその分解図であり、前記従来例と同様の機能を有する部材には同一の符号を付して重複する説明は省略する。
【００１３】
本実施形態は、ケーブル接続部における筒状体としてのケーブル取付金具３と接続金具９とを、一対の略半円弧状の連結金具２０・２０と、その両連結金具を保持するバンド体２５とで接続したものである。
【００１４】
その両連結金具２０・２０は、図３および図４に示すように軸線方向に所定の幅Ｗを有する半円弧状の金属鋼材等で形成され、その幅方向両端部内面側には、それぞれケーブル取付金具３および接続金具９の外周面に形成したリング状の凹溝３１、９１に嵌合する内向きのリング状の突部２１、２２が形成されている。
【００１５】
その両突部２１・２２間には、上記取付金具３と接続金具９とに形成したリング状の突部３２、９２がほぼ丁度嵌る程度の略半円弧状の凹部２３が形成され、その凹部２３の半径方向深さは、上記突部３２、９２の半径方向高さと同等もしくはそれよりもやや深く形成されている。また上記凹部２３の軸線方向の幅は、上記両突部３２、９２の軸線方向の幅を加えた長さと同等もしくはそれよりもやや大きく形成され、上記凹部の底面（上記突部２１・２２間の各連結金具２０の内面）は、上記突部３２、９２の外径と略同径もしくはやや大きめに形成されている。また上記突部９２には、該突部９２を上記凹部２３内に挿入する際のガイド面となるテーパ状の面取り部９２ａが設けられている。さらに上記両突部２１・２２の外側には上記突部３２、９２よりも高い突部３３、９３が上記取付金具３と接続金具９とに設けられ、その両突部３３・９３間に上記連結金具２０およびバンド体２３が位置するように構成されている。
【００１６】
また前記突部２１、２２の一方の突部２１、本実施形態においてはケーブル取付金具３の凹溝３１に嵌合する突部２１は、周方向全長にわたって略一定の断面矩形状に形成され、その突部２１の軸線方向の幅および半径方向の高さは、上記凹溝３１の軸線方向の幅および半径方向の高さとほぼ同等もしくはそれらよりも僅かに小さく形成されている。また他方の突部２２、本実施形態においては接続金具９の凹溝９１に嵌合する突部２２の長手方向中央部（半円弧状連結金具２０の周方向中央部）における軸線方向の幅および半径方向の高さは、上記凹溝９１の軸線方向の幅および高さとほぼ同等もしくはそれらよりも僅かに小さく形成されている。
【００１７】
さらに上記突部２２の外側の側面と内周面との間には、前記接続金具９の突部９２を挿入する際のガイド面となるテーパ状の面取り部２２ａを設けると共に、上記突部２２の内周面は、前記接続金具９の突部９２の外径と略同径もしくはやや大きめに形成されている。その結果、上記突部２２の半径方向の高さは、図４（ｃ）に示すように半円弧状連結金具２０の両端部に行くに従って漸次低くなるように構成されている。
【００１８】
また前記バンド体２５は、本実施形態においては図５に示すように欠円形のばね板が用いられ、そのバンド体２５の軸線方向の幅は、上記連結金具２０の軸線方向の幅と同等もしくはそれよりもやや狭く形成されている。また上記欠円形バンド体２５の自由状態での内径は、上記両連結金具２０を前記取付金具３および接続金具９に嵌めたときの該連結金具２０の外径よりも小さく形成され、その状態で両連結金具２０の外周面に嵌めたとき、各連結金具２０が常時半径方向内方に締め付けられるように構成されている。
【００１９】
上記の構成において、ＣＶケーブル４を絶縁体１側の中心導体２に導電接続するに当たっては、予め図６および図７（ａ）に示すように両連結金具２０・２０の内向き突部２１をケーブル取付金具３の凹溝３１に嵌合すると共に、上記両連結金具２０・２０の外周面にバンド体２５を嵌めて両連結金具２０・２０を取付金具３の端部に保持させる。またケーブル４には前記従来例と同様に各部材５〜１０を組み付けた状態で、それらを絶縁体１側に押し込む。すると、ケーブル４の先端部に設けた端子金具５が中心導体２に挿入嵌合されると共に、プレモールド絶縁体６および押圧金具７が絶縁体１の凹部１ａ内に挿入される。
【００２０】
それと同時に、接続金具９の先端部９ａがケーブル取付金具３の内方に進入した後、該接続金具９の前記突部９２が上記両連結金具２０・２０の内方に向かって前進する。その際、上記突部９２は、該突部９２および各連結金具２０の内向き突部２２に形成したテーパ状の面取り部９２ａ、２２ａによってバンド体２５の締め付け力に抗して両連結金具２０・２０を外方に押し開きながら上記突部２２の内方に進入する。又その際、上記突部２２の内周面は、上記突部９２の外径と略同径もしくはやや大きめに形成されているので、上記突部９２が特に上記突部２２の両端部に引っ掛かることなくスムースに進入させることができる。
【００２１】
そして更に接続金具９が取付金具３に向かって前進すると、上記突部９２が各連結金具２０の前記凹部２３内に進入すると同時に、前記バンド体２５によって常時内方に締め付けられている各連結金具２０の突部２２が、接続金具９の凹溝９１に嵌合する。それによって、上記接続金具９と取付金具３とを容易に接続することができるものである。なお、その際、上記接続金具９と押圧金具７との間に介在させた圧縮コイルばね１１によってプレモールド絶縁体６が絶縁体１およびケーブル絶縁体４ｂに所定の圧力で密着することは前記従来例の場合と同様である。
【００２２】
上記のように本発明においては、接続金具９をケーブル４とともに取付金具３および絶縁体１に向かって前進させるだけで接続金具９と取付金具３とを容易・迅速に接続することができる。また接続した後は、たとえ取付金具３と接続金具９とが互いに離間する方向の力が作用しても、連結金具２０の突部２１、２２の側面と、取付金具３および接続金具９の凹溝３１、９１の側面とが比較的広い面で接触するので不用意に離脱することなく、長期間安定性よく且つ確実に連結状態を維持させることができる。また図示例のように接続状態において圧縮コイルばね１１等によって取付金具３と接続金具９とが互いに離間する方向に付勢されているものにあっては、上記突部２１、２２の側面と、凹溝３１、９１の側面とが常時圧接してガタツキを防止することができる。
【００２３】
また上記取付金具３と接続金具９との接続を解除するには、バンド体２５を外して連結金具２０を半径方向外方に離脱させればよく、上記のように圧縮コイルばね１１等によって取付金具３と接続金具９とが互いに離間する方向に付勢されているものにあっては、バンド体２５を外した後、取付金具３と接続金具９とを互いに接近する方向に引き寄せれば連結金具２０を容易に離脱させることができるものである。
【００２４】
なお上記実施形態は、接続金具９を両連結金具２０の内方に挿入する際のガイド面となるテーパ状の面取り部を、連結金具２０の突部２２と、接続金具９の突部９２の両方に設けたが、いずれか一方にのみ設けるようにしてもよい。また上記取付金具３と接続金具９とは、それら端部、図示例においては取付金具３と接続金具９の突部３２、９２を突き合わせた後、それらの外周に両連結金具２０・２０を被せると共に、それらの外周にバンド体２５を嵌めて連結するようにしてもよい。その場合には、上記の面取り部を省略することができる。
【００２５】
またバンド体２５としては、図示例のような欠円形のばね板に限らず、例えばゴムバンド等を用いてもよく、また両連結金具２０・２０の外周に嵌めたとき、各連結金具２０の突部２１、２２と、取付金具３および接続金具９の凹溝３１、９１との係合状態を維持できる構成であれば、必ずしも前述のように各連結金具２０を半径方向内方に締め付ける力を有さないものであってもよい。
【００２６】
さらに図示例のケーブル接続部においては、接続金具９を、蛇腹状の防水カバー１４と防水テープ８および固定バンド１５とでケーブル４に取付けた構成であるが、その接続金具９のケーブル４に対する取付構造は適宜であり、また図示例のようなケーブル接続部に限らず、他の各種のケーブル接続部にも適用できる。さらに本発明はケーブル接続部以外にも適用可能であり、例えば管やパイプ等の筒状体や各種の軸等の棒状体を接続する場合などにも適用できる。
【００２７】
【発明の効果】
以上のように本発明による継手装置は、互いに接続すべき筒状体または棒状体の端部外周面に、それぞれ凹溝を形成し、その各凹溝に係合する内向きの突部を軸線方向両端部に有する一対の半円弧状の連結金具を、上記の互いに接続すべき筒状体または棒状体の端部外周に配置すると共に、その両連結金具を保持するバンド体を上記両連結金具の外周に設けるだけの極めて簡単な構成によって、筒状体や棒状体を容易・迅速に且つ確実に接続できるもので、信頼性および耐久性のよい継手装置を安価に提供できる等の効果がある。
【図面の簡単な説明】
【図１】本発明による継手装置を適用したケーブル接続部の縦断面図。
【図２】上記ケーブル接続部の一部の拡大図。
【図３】（ａ）は上記ケーブル接続部の内部機構等を省略した要部の拡大図。
（ｂ）はその分解図。
【図４】（ａ）は連結金具の縦断正面図。
（ｂ）はその側面図。
（ｃ）は（ａ）におけるｃ−ｃ線断面図。
【図５】（ａ）はバンド体の正面図。
（ｂ）はその側面図。
【図６】上記ケーブル接続部を接続する状態の縦断面図。
【図７】（ａ）は上記ケーブル接続部を接続する状態の要部の拡大縦断面図。
（ｂ）は接続した状態の同上図。
【図８】従来のケーブル接続部の縦断面図。
【図９】上記ケーブル接続部の一部の拡大図。
【図１０】上記ケーブル接続部を接続する状態の縦断面図。
【符号の説明】
１  絶縁体
２  中心導体
３  ケーブル取付金具
４  ケーブル
５  端子金具
６  プレモールド絶縁体
７  押圧金具
８  防水テープ
９  接続金具
１１  圧縮コイルばね
１２  ガイドピン
２０  連結金具
２１、２２  突部
２３  凹部
２５  バンド体
３１、９１  凹溝
３２、３３、９２、９３  突部
【図１】
2004312934.tif 000003
【図２】
2004312934.tif 000004
【図３】
2004312934.tif 000005
【図４】
2004312934.tif 000006
【図５】
2004312934.tif 000007
【図６】
2004312934.tif 000008
【図７】
2004312934.tif 000009
【図８】
2004312934.tif 000010
【図９】
2004312934.tif 000011
【図１０】
2004312934.tif 000012